(57)【要約】【課題】発行工程において、エラーにより廃棄処理されたＩＤカード素材に内蔵されたＩＣを用いた不正使用を防止する必要がある。【解決手段】発行工程において、エラーが発生した場合に、ＩＣメモリを閉塞処理する。【選択図】        図１
2005004590.tif 000002
【特許請求の範囲】
【請求項１】
ＩＣが内蔵されているＩＤカードの発行工程において、エラーが発生したときに、前記ＩＣのメモリに対して閉塞処理を行うことを特徴とするＩＤカード発行方法。
【請求項２】
エラー検出手段を有し、該エラー検出手段のエラー検出信号に基づいて、前記閉塞処理を行うことを特徴とする請求項１に記載のＩＤカード発行方法。
【請求項３】
外部から入力された閉塞命令に基づいて、前記閉塞処理を行うことを特徴とする請求項１に記載のＩＤカード発行方法。
【請求項４】
ＩＤカード素材に内蔵されているＩＣのメモリを閉塞処理する閉塞処理手段を有することを特徴とするＩＤカード発行装置。
【請求項５】
ＩＤカード発行のエラーを検出するエラー検出手段を有し、前記閉塞処理手段は、前記エラー検出手段からのエラー検出信号に基づいて前記閉塞処理を実行することを特徴とする請求項４に記載のＩＤカード発行装置。
【請求項６】
閉塞指示ボタンを有し、前記閉塞処理手段は、前記閉塞指示ボタンの操作に基づいて、前記閉塞処理を実行することを特徴とする請求項４又は請求項５に記載のＩＤカード発行装置。
【請求項７】
ＩＤカードの発行工程において、エラーが発生したときに、発行工程を停止する制御手段を有し、該制御手段は、前記閉塞処理が行われたときに、停止を解除することを特徴とする請求項４〜６のいずれか１項に記載のＩＤカード発行装置。
【請求項８】
ＩＤカード発行装置及び、該ＩＤカード発行装置に接続され、ＩＤカードに内蔵されているメモリに対して閉塞処理を行った事実のデータを記憶している記憶装置を有することを特徴とするＩＤカード発行システム。
【発明の詳細な説明】
【０００１】
【発明の属する技術分野】
本発明は、学生証、社員証その他の資格証明証、キャッシュカード、クレジットカード等のＩＤカードの発行装置及び発行システムに関する。
【０００２】
【従来の技術】
ＩＤカードに関しては、カードに内蔵されている情報の重要性から、徹底したカード管理システムが構築されている。すなわち、ＩＤカードには、一枚ごとにＩＤナンバーを付与し、付与したＩＤナンバーは、ホストコンピュータに登録して、管理している。また、ホストコンピュータにはＩＤナンバーの他の情報も併せて蓄積されており、ＩＤカードの紛失、不正使用等があった時には、ホストコンピュータにおける照合により迅速に、事実が解明されるようにシステムが組まれている（例えば、特許文献１）。
【０００３】
ＩＤカードの管理が重要であるとともに、ＩＤカードに作成される前のＩＤカード素材の管理も重要である。例えば、ＩＤカード素材が在庫の段階で紛失し、不正使用された場合には、大規模な被害が生ずる可能性がある。従来からＩＤカード素材の管理に関しては、不良が発生した場合に、ＩＤカード素材を機械的に破壊して使用不能にするといった対策がとられている程度であり、目立った技術開発は発表されていない。特に、カードに組み込まれているＩＣに書込済みのデータは、廃棄処理後のＩＤカード素材に残ったままであり、問題であった。
【０００４】
【特許文献１】
特開平７−２０８００１号公報
【０００５】
【発明が解決しようとする課題】
本発明は、ＩＤカード素材の管理技術を提供するもので、ＩＤカード発行工程において、工程不良が発生した場合に、工程不良が発生したＩＤカード素材の管理を可能にするＩＤカード発行装置又はシステムを提供することを目的とする。
【０００６】
【課題を解決するための手段】
前記目的は下記の発明により達成される。
【０００７】
１．ＩＣが内蔵されているＩＤカードの発行工程において、エラーが発生したときに、前記ＩＣのメモリに対して閉塞処理を行うことを特徴とするＩＤカード発行方法。
【０００８】
２．エラー検出手段を有し、該エラー検出手段のエラー検出信号に基づいて、前記閉塞処理を行うことを特徴とする前記１に記載のＩＤカード発行方法。
【０００９】
３．外部から入力された閉塞命令に基づいて、前記閉塞処理を行うことを特徴とする前記１に記載のＩＤカード発行方法。
【００１０】
４．ＩＤカード素材に内蔵されているＩＣのメモリを閉塞処理する閉塞処理手段を有することを特徴とするＩＤカード発行装置。
【００１１】
５．ＩＤカード発行のエラーを検出するエラー検出手段を有し、前記閉塞処理手段は、前記エラー検出手段からのエラー検出信号に基づいて前記閉塞処理を実行することを特徴とする前記４に記載のＩＤカード発行装置。
【００１２】
６．閉塞指示ボタンを有し、前記閉塞処理手段は、前記閉塞指示ボタンの操作に基づいて、前記閉塞処理を実行することを特徴とする前記４又は前記５に記載のＩＤカード発行装置。
【００１３】
７．ＩＤカードの発行工程において、エラーが発生したときに、発行工程を停止する制御手段を有し、該制御手段は、前記閉塞処理が行われたときに、停止を解除することを特徴とする前記４〜６のいずれか１項に記載のＩＤカード発行装置。
【００１４】
８．ＩＤカード発行装置及び、該ＩＤカード発行装置に接続され、ＩＤカードに内蔵されているメモリに対して閉塞処理を行った事実のデータを記憶している記憶装置を有することを特徴とするＩＤカード発行システム。
【００１５】
本発明におけるＩＤカードは、学生証、社員証、各種資格証明証等の身分証明証の他に、キャッシュカード、クレジットカード等の証明証を含む。
【００１６】
【発明の実施の形態】
図１は本発明の実施の形態に係るＩＤカード発行装置及び発行システムのブロック図である。
【００１７】
ＩＤカード発行装置Ａは、カード供給部１、プリンタ２、リーダ・ライタ３及び制御手段４を有し、カード供給部１からＩＤカード素材が１枚づつ搬出され、プリンタにおいて、顔写真、ＩＤ番号等が印刷される。リーダ・ライタ３では、内蔵されているＩＣチップにカード所有者の個人情報が記録される。制御手段４はＩＤカード発行装置Ａの全体を制御する。Ｂはホストコンピュータであり、ＩＤカード発行装置Ａとネットワーク接続され、各種の情報をＩＤ発行装置Ａに供給するとともに、ＩＤカード発行装置Ａからの情報を取り込む。
【００１８】
ＩＤカード発行装置Ａにおいては、カード発行において、カードの搬送エラー、印刷エラー、書込エラー等の各種エラーが発生する場合があるが、このようなエラーが発生したときは、エラーが発生した工程において処理されているＩＤカード素材は廃棄処分される。
【００１９】
本発明の実施の形態においては、廃棄処分とされたＩＤカード素材に内蔵されているＩＣチップの使用を禁止する閉塞処理が行われる。
【００２０】
閉塞処理は、ＩＣ内のメモリのリード・ライト処理に対して使用禁止とする処理である。具体的には、搬送不良を検知したカードセンサ６のエラー信号に基づいて閉塞処理するか、プリンタ２の作動不良又はリーダ・ライタ３の書込エラーの信号に基づいてか又は操作部５に設けられた閉塞指示ボタン５ａの操作信号に基づいて、リーダ・ライタ３がカード内蔵ＩＣのメモリ７に対して閉塞処理を行う。
【００２１】
すなわち、カードセンサ６からのエラー信号やリーダ・ライタ３からのエラー信号やプリンタ２からのエラー信号に基づいて実行される閉塞処理は、制御手段４がこれらの信号を受信した時に自動的に実行されるが、ＩＤカードの券面に形成された画像に不良が発見される画像不良の場合には、オペレータが画像不良を発見した時に、操作部５の閉塞指示ボタン５ａを操作した信号に基づいて、閉塞処理が実行される。
【００２２】
このような閉塞処理により、カード発行工程において、エラーが発生した場合に、ＩＤカード素材を機械的に廃棄処分とするだけでなく、ＩＤカード素材に内蔵されているＩＣが廃棄処分されるので、未発行のＩＤカード素材の不正使用は完全に防止される。
【００２３】
発行工程においてエラーが発生した場合、制御手段４は発行装置を停止する制御を行う。制御手段４はさらに、エラーによる停止を実行した後に、閉塞処理の完了を待って、発行装置の作動を再開する制御を行う。
【００２４】
図２はこのような停止制御及び作動再開制御のフローチャートである。
カード発行の実行中に（Ｓ１）、エラーが発生した場合（Ｓ２のｙｅｓ）、閉塞処理及び画像形成工程の停止が実行される（Ｓ３）。閉塞処理の完了時に（Ｓ４のｙｅｓ）、ステップＳ１に戻って、カード発行を再開する。
【００２５】
エラー発生は前記に説明したように、カードセンサ６のエラー検知信号や、プリンタ２又はリーダ・ライタ３の作動不良信号や、閉塞指示ボタン５ａの操作信号が制御手段４に入力した時にである。
【００２６】
エラーが発生しないときは、発行工程の終了を確認して（Ｓ５）終了する。
制御手段４は閉塞処理を実行した時に、ホストコンピュータＢに閉塞処理情報を伝送し、該情報はホストコンピュータ８の記憶装置に記憶される。記憶された情報のデータベースは、ＩＤカード発行装置Ａの管理やそのメンテナンスのために利用される。
【００２７】
【発明の効果】
請求項１〜８に記載した発明により、ＩＤカード発行工程において、エラー処理により、発行停止処理されたＩＤカード素材に内蔵されているＩＣを用いた不正使用が完全に防止される。
【００２８】
請求項８の発明により、ＩＤカード発行工程において生ずるエラーの管理及び発行システムのメンテナンス等に蓄積されたエラー情報を利用することが可能になり、メンテナンス等を向上することができる。
【図面の簡単な説明】
【図１】本発明の実施の形態に係るＩＤカード発行装置及び発行システムのブロック図である。
【図２】ＩＤカード発行装置の停止制御及び作動再開制御のフローチャートである。
【符号の説明】
１  カード供給部
２  プリンタ
３  リーダ・ライタ
４  制御手段
５  操作部
５ａ  閉塞指示ボタン
６  カードセンサ
７  メモリ
Ａ  ＩＤカード発行装置
Ｂ  ホストコンピュータ
【図１】
2005004590.tif 000003
【図２】
2005004590.tif 000004